(57)【要約】【課題】踏み台を利用して安全且つ適切に治療を行うことができる渦流浴装置を提供する。【解決手段】浴槽１１内に渦流を生じさせて患部を刺激する渦流浴装置１は、浴槽１１を含み、前後方向に延びる本体部１０と、本体部１０の側方に配置される踏み台２０と、を備える。本体部１０と同一の床面３に載置された踏み台２０の上面が、浴槽１１の底面と略同一の高さに位置する。【選択図】図１
2018068616.tif 000002
【特許請求の範囲】
【請求項１】
浴槽内に渦流を生じさせて患部を刺激する渦流浴装置であって、
前記浴槽を含み、前後方向に延びる本体部と、
前記本体部の側方に配置される踏み台と、
を備え、
前記本体部と同一の床面に載置された前記踏み台の上面が、前記浴槽の底面と略同一の高さに位置する、渦流浴装置。
【請求項２】
前記踏み台は、前記本体部に着脱可能に連結される、請求項１に記載の渦流浴装置。
【請求項３】
前記踏み台は、前後方向に他の踏み台を連結可能である、請求項１又は２に記載の渦流浴装置。
【請求項４】
前記踏み台は、高さ方向に他の踏み台を連結可能である、請求項１から３のいずれか１項に記載の渦流浴装置。
【請求項５】
前記本体部は、
側面の前方下部側に設けられる第１凸部と、
前記第１凸部が設けられる側面と同一の側面の後方下部側に設けられる第２凸部と、
を有し、
前記踏み台は、前記第１凸部と前記第２凸部との間で前記本体部に連結可能である、請求項１から４のいずれか１項に記載の渦流浴装置。
【請求項６】
前記本体部は、前記浴槽の後方側に臀部を載せる座部を有し、
前記踏み台は、少なくとも一部が前記座部の側方に位置するように前記本体部に連結可能である、請求項１から５のいずれか１項に記載の渦流浴装置。
【請求項７】
前記本体部の側面下部側に着脱可能であって、前記踏み台と接続される接続金具を更に有する、請求項１から６のいずれか１項に記載の渦流浴装置。
【請求項８】
前記接続金具は、当該金具の板面から突出する突起部を有し、
前記踏み台は、前記突起部と係合する係合溝を有する、請求項７に記載の渦流浴装置。
【発明の詳細な説明】
【技術分野】
【０００１】
本発明は、渦流浴装置に関する。
【背景技術】
【０００２】
従来、上肢や下肢の水治療を行う機器として渦流浴装置が知られる（例えば特許文献１参照）。渦流浴装置は、下肢等の患部を入れる浴槽を備える。下肢の水治療が可能な渦流浴装置は、患者が腰を掛ける座部を備える。従来の渦流浴装置の中には、患者が座部に容易に腰を掛けることができるように、装置本体の側方に配置される踏み台を備えるものがある。
【先行技術文献】
【特許文献】
【０００３】
【特許文献１】特開２００３−３１０６９５号公報
【発明の概要】
【発明が解決しようとする課題】
【０００４】
従来の渦流浴装置が備える踏み台は、座部に腰掛け易くすることのみを目的とした構造である。すなわち、従来の踏み台は、患者の身長や障害レベル等に適切に対応して使用するといった事は難しい。また、従来の踏み台は、患者がリハビリテーション目的で利用することは難しい。
【０００５】
以上の点に鑑みて、本発明は、踏み台を利用して安全且つ適切に治療を行うことができる渦流浴装置を提供することを目的とする。
【課題を解決するための手段】
【０００６】
上記目的を達成するために本発明の渦流浴装置は、浴槽内に渦流を生じさせて患部を刺激する渦流浴装置であって、前記浴槽を含み、前後方向に延びる本体部と、前記本体部の側方に配置される踏み台と、を備え、前記本体部と同一の床面に載置された前記踏み台の上面が、前記浴槽の底面と略同一の高さに位置する構成（第１の構成）になっている。
【０００７】
本構成によれば、渦流浴装置の使用者（患者）は、踏み台を利用して床面よりも高い位置から本体部にアプローチすることができるために、安全且つ容易に本体部に乗ることができる。また、本構成によれば、本体部と同一の床面に載置された踏み台の上面と、浴槽の上面と、が略同一の高さに位置するために、使用者は一方の脚を浴槽内に入れ、他方の脚を踏み台の上に置いた状態でバランス良く立つことができる。このために、使用者は、患部側の脚を渦流によって治療しながら、リハビリテーション目的の歩行運動を安全に行うことができる。
【０００８】
上記第１の構成の渦流浴装置において、前記踏み台は、前記本体部に着脱可能に連結される構成（第２の構成）であるのが好ましい。本構成によれば、踏み台を本体部に連結できるために、使用者が踏み台に脚を載せている際に、踏み台が勝手に動くことを防止できる。すなわち、本構成によれば、使用者は安全に踏み台を使用することができる。また、本構成によれば、踏み台が本体部に対して着脱可能に設けられているために、例えば使用者の身長等に合せて、踏み台を本体部に対して付けたり外したりすることができる。
【０００９】
上記第１又は第２の構成の渦流浴装置において、前記踏み台は、前後方向に他の踏み台を連結可能である構成（第３の構成）が好ましい。本構成によれば、複数の踏み台を前後方向に連結して、踏み台が配置される面積を増加させることができる。このために、本構成によれば、リハビリテーション目的の歩行運動を安全に行い易くすることができる。
【００１０】
上記第１から第３のいずれかの構成の渦流浴装置において、前記踏み台は、高さ方向に他の踏み台を連結可能である構成（第４の構成）が好ましい。本構成によれば、例えば使用者の身長等に合せて踏み台を重ねる枚数を変更することができ、様々な体格の使用者に適切に対応することができる。また、本構成によれば、意図的に段差を設けて、リハビリテーション目的の歩行運動を行うことも可能になる。
【００１１】
上記第１から第４のいずれかの構成の渦流浴装置において、前記本体部は、側面の前方下部側に設けられる第１凸部と、前記第１凸部が設けられる側面と同一の側面の後方下部側に設けられる第２凸部と、を有し、前記踏み台は、前記第１凸部と前記第２凸部との間で前記本体部に連結可能である構成（第５の構成）が好ましい。本構成によれば、第１凸部と第２凸部とを目安にして踏み台を配置することができ、踏み台を置く位置を明確にすることができる。
【００１２】
上記第１から第５のいずれかの構成の渦流浴装置において、前記本体部は、前記浴槽の後方側に臀部を載せる座部を有し、前記踏み台は、少なくとも一部が前記座部の側方に位置するように前記本体部に連結可能である構成（第６の構成）が好ましい。本構成によれば、座部の近くに踏み台を配置することができるために、使用者はより安全に座部に乗ることができる。
【００１３】
上記第１から第６のいずれかの構成の渦流浴装置は、前記本体部の側面下部側に着脱可能であって前記踏み台と接続される接続金具を更に有する構成（第７の構成）であるのが好ましい。本構成によれば、接続金具が本体部に対して着脱可能であるために、渦流浴装置の購入者（患者に限らない）は、使用者が踏み台を使用する予定がない場合には、接続金具を初めから取り付けないという選択を行うことができる。
【００１４】
上記第７の構成の渦流浴装置において、前記接続金具は、当該金具の板面から突出する突起部を有し、前記踏み台は、前記突起部と係合する係合溝を有する構成（第８の構成）であってよい。本構成によれば、突起と溝の嵌め合いによって本体部と踏み台とを連結できるので、踏み台の本体部に対する着脱を簡単に行うことができる。
【発明の効果】
【００１５】
本発明によれば、踏み台を利用して安全且つ適切に治療を行うことができる渦流浴装置を提供することができる。
【図面の簡単な説明】
【００１６】
【図１】本発明の実施形態に係る渦流浴装置の構成を示す概略側面図
【図２】本発明の実施形態に係る渦流浴装置の構成を示す概略上面図
【図３】本発明の実施形態に係る渦流浴装置が備える踏み台の構成を示す概略上面図
【図４】踏み台を図３のＸ方向から見た場合の概略側面図
【図５】踏み台を図３のＹ方向から見た場合の概略側面図
【図６Ａ】本発明の実施形態に係る渦流浴装置の本体部の側面の一部を拡大して示した概略平面図
【図６Ｂ】本発明の実施形態に係る渦流浴装置が備える接続金具の構成を示す概略上面図
【図７】本発明の実施形態に係る渦流浴装置を使用する使用者の姿勢が図１とは異なる場合を説明するための概略側面図
【図８】本発明の実施形態に係る渦流浴装置における踏み台の使用例について説明するための概略上面図
【図９】本発明の実施形態に係る渦流浴装置における踏み台の使用例について説明するための概略側面図
【発明を実施するための形態】
【００１７】
以下、本発明の実施形態に係る渦流浴装置について、図面を参照しながら詳細に説明する。本明細書においては、脚を浴槽に入れて渦流浴装置を使用する使用者を基準に、上下、前後、及び、左右の表現を用いる。なお、ここで言う渦流浴装置の使用者は、渦流浴装置を使用して患部の治療等を行う者（患者）を指している。
【００１８】
図１は、本発明の実施形態に係る渦流浴装置１の構成を示す概略側面図である。詳細には、図１は渦流浴装置１を左側から見た図である。なお、図１には、理解を容易にするために、渦流浴装置１の使用者２も併せて示されている。また、図１には、側面からは見えない浴槽１１が破線で示されている。図２は、本発明の実施形態に係る渦流浴装置１の構成を示す概略上面図である。図１及び図２に示すように、渦流浴装置１は、本体部１０と、踏み台２０とを備える。
【００１９】
前後方向に延びる本体部１０は、浴槽１１を含む。詳細には、浴槽１１は、ケーシング１２に外周を覆われる。浴槽１１は、前後方向に延びて細長い形状である。浴槽１１には、適温（例えば３８℃程度）の水が溜められる。浴槽１１に溜められる水には、入浴剤等の添加物が含まれてもよい。浴槽１１に溜められた水は、ケーシング１２内に収容されるヒーター（不図示）によって温めることができる。なお、本実施形態では、ヒーターは、浴槽１１の外周に配置される構成である。このために、本実施形態の渦流浴装置１においては、浴槽１１の下側にヒーター用のスペースを設ける必要がなく、浴槽１１の水深を深くし易い。
【００２０】
図２に示すように、浴槽１１の底面には、浴槽１１に溜められた水を外部に排水可能とする排水部１１０が設けられる。排水部１１０は、詳細には、排水口と、排水口を開閉する水栓とによって構成される。本実施形態では、水栓はポップアップ式の水栓である。ただし、水栓は、ポップアップ式の水栓に限らず、他の公知の水栓であってよい。その他、浴槽１１の底面には、滑り止め部１１１が複数設けられる。詳細には、滑り止め部１１１は表面に微細な凹凸を有する。滑り止め部１１１は、場合によっては、設けられなくてもよい。
【００２１】
図２に示すように、浴槽１１の側壁には、複数のノズル１１２が設けられる。本実施形態では、前方の側壁に、上下方向に並ぶ２つのノズル１１２が設けられる。また、図２においてはケーシング１２の上面部に隠れて見えないが、後方の側壁に、上下方向に並ぶ３つのノズル１１２が設けられる。ノズル１１２の数、及び、ノズル１１２が設けられる位置は適宜変更されてよい。
【００２２】
ケーシング１２の内部には、不図示のポンプを含む循環装置が配置されている。循環装置によって、浴槽１１内の水は不図示の吸水口から浴槽１１外に吸い出され、吸い出された水はノズル１１２から浴槽１１内に吐出される。循環装置の作用によって、浴槽１１内に渦流を生じさせることができる。循環装置が備える配管は、浴槽１１の周囲に配置されている。このために、本実施形態の渦流浴装置１においては、浴槽１１の下側に循環用の配管を配置するためのスペースを設ける必要がなく、浴槽１１の水深を深くし易い。
【００２３】
本体部１０は、浴槽１１の後方側に使用者２の臀部を載せる座部１３を有する。本実施形態では、ケーシング１０後方の左右方向の幅が広くなった部分の上面部が、座部１３に該当する。詳細には、座部１３は、浴槽１１の後方側の一部を覆っている。ただし、これは例示であり、座部１３は、浴槽１１の後端より後方に設けられてもよい。
【００２４】
本体部１０は、側面の前方下部側に設けられる第１凸部１４を有する。本実施形態では、第１凸部１４はケーシング１２に一体的に形成される。第１凸部１４は、左右の両側面に設けられる。第１凸部１４は、左右方向と平行な方向に突出する。本体部１０は、第１凸部１４が設けられる側面と同一側面の後方下部側に設けられる第２凸部１５を有する。本実施形態では、第２凸部１５はケーシング１２に一体的に形成される。第２凸部１５は、左右の両側面に設けられる。第２凸部１５は、左右方向と平行な方向に突出する。第１凸部１４と第２凸部１５とは、ほぼ同一の高さ位置に設けられる。左右に設けられる第１凸部１４及び第２凸部１５は、浴槽１１を挟んで対称配置される。
【００２５】
その他、本体部１０は、ケーシング１２の前側上部に回動可能に取り付けられる手すり１６を有する。手すり１６は、湾曲した形状であり、後方に向けて延びる。手すり１６は、垂直面内で回動可能に設けられ、図１に示す状態から反時計回り方向に回動可能である。
【００２６】
踏み台２０は、本体部１０の側方に配置される。本実施形態では、本体部１０の右側方に２つ、左側方に２つの合計４つの踏み台２０が、本体部１０の側方に配置される。４つの踏み台２０は、いずれも同一構造であり、外径略直方体形状である。各踏み台２０は、本体部１０と同じ床面３上に載置されている。図１に示すように、本体部１０と同一の床面３に載置された踏み台２０の上面は、浴槽１１の底面と略同一の高さに位置する。各踏み台２０は、本体部１０に着脱可能に連結される。また、各踏み台２０は、前後方向に他の踏み台２０を連結可能である。本実施形態の渦流浴装置１において、前後に並ぶ２つの踏み台２０は連結されている。
【００２７】
図３は、本発明の実施形態に係る渦流浴装置１が備える踏み台２０の構成を示す概略上面図である。図４は、踏み台２０を図３のＸ方向から見た概略側面図である。図５は、踏み台２０を図３のＹ方向から見た概略側面図である。図３に示すように、踏み台２０は、上方からの平面視において略長方形状である。踏み台２０は、上面の四隅近傍に、平面視において略円形状の凹部２１を有する。図４及び図５に示すように、踏み台２０は、下部側に、下方に向けて突出する脚部２２を有する。脚部２２が設けられる位置は、各凹部２１の下側である。すなわち、脚部２２は、４つ設けられる。各脚部２２は、円柱形状であり、凹部２１に挿入可能なサイズに設けられている。脚部２２は、少なくとも下端側が弾性を有するのが好ましい。脚部２２の弾性部分は、例えばゴムによって構成される。
【００２８】
図４及び図５に示すように、踏み台２０は、短手方向の一側面及び長手方向の一側面に設けられる係合溝２３を有する。係合溝２３は、各側面において、下端から上方に向けて延びる。係合溝２３は、各側面に、上下方向と直交する方向に間隔をあけて２つずつ設けられる。
【００２９】
図３から図５に示すように、踏み台２０は、短手方向の他側面及び長手方向の他側面に設けられる係合突起２４を有する。係合突起２４は、各側面において、当該側面と直交する方向に突出する。係合突起２４は、図３に示すように、上方からの平面視において略Ｔ字状である。係合突起２４は、各側面に、上下方向と直交する方向に間隔をあけて２つずつ設けられる。
【００３０】
各側面における２つの係合突起２４の間隔は、対向する側面における２つの係合溝２３の間隔と略同一である。踏み台２０は、係合溝２３と係合突起２４との嵌め合せによって他の踏み台２０と連結することができる。１つの踏み台２０の周りに、最大４つの踏み台２０を連結することが可能である。また、係合溝２３と係合突起２４との嵌め合せによる連結のために、２つの踏み台２０の連結は簡単に解除することができる。
【００３１】
踏み台２０は、詳細には、踏み台本体部２０ａと、踏み台本体部２０ａから突出する踏み台凸部２０ｂとを有する。踏み台本体部２０ａ及び踏み台凸部２０ｂは、いずれも上方からの平面視において略長方形状である。ただし、踏み台凸部２０ｂは、踏み台本体部２０に比べて長辺及び短辺の長さが若干短い。また、踏み台本体部２０ａは、下面側に開口を有する。踏み台２０は、踏み台凸部２０ｂを、他の踏み台２０の踏み台本体部２０ａの下面開口に挿入することによって、他の踏み台２０と高さ方向に連結可能である。なお、この連結の際に、上側の踏み台２０の各脚部２２は、下側の踏み台２０の凹部２１に挿入される。また、踏み台凸部２０ｂと、踏み台本体部２０ａの開口との嵌め合せによる連結のために、上下に重ね合された２つの踏み台２０の連結は簡単に解除することができる。
【００３２】
図６Ａは、本発明の実施形態に係る渦流浴装置１の本体部１０の側面の一部を拡大して示した概略平面図である。図６Ａは、本体部１０から踏み台２０が取り外された場合における、本体部１０の側面下部側を拡大して示した図である。図６Ａに示すように、渦流浴装置１は、踏み台２０と接続される接続金具３０を有する。詳細には、接続金具３０は、第１凸部１４及び第２凸部１５の間に配置される。
【００３３】
接続金具３０は、互いに略直交する関係にある２つの板状部が一体となった略Ｌ字状の部材である。一方の板状部がケーシング１２の側面に沿うように配置され、他方の板状部がケーシングの１２の下面に沿うように配置される。ケーシング１２の側面に沿うように配置される板状部には、図６Ａに示すように、上下方向に延びる２つの長孔３１が設けられる。２つの長孔３１のうち一方は、接続金具３０の前端部近傍に設けられ、他方は、接続金具３０の後端部近傍に設けられる。接続金具３０は、長孔３１に一部が挿入されるビスＢによって本体部１０に固定される。換言すると、接続金具３０は、本体部１０に対して着脱可能である。また、長孔３１が利用されるために、接続金具３０は高さ方向の位置を調節することができる。
【００３４】
接続金具３０は、当該金具の板面から突出する突起部３２を有する。詳細には、突起部３２は、ケーシング１２の側面に沿うように配置される板状部の板面から外方に向けて突出する。接続金具３０は、前後方向に間隔をあけて並ぶ４つの突起部３２を有する。前側寄りの２つの突起部３２と、後側寄りの２つの突起部３２とが、それぞれ対をなす。前側寄りの２つの突起部３２の前後方向の間隔と、後側寄りの２つの突起部３２の前後方向の間隔とは同じである。これらの間隔は、踏み台２０の短手方向の一側面に設けられる２つの係合溝３２の間隔と略同一である。接続金具３０は、前側寄りの２つの突起部３２の中間、及び、後側寄りの２つの突起部３２の中間に、調節ネジ３４（後述の図６Ｂ参照）が取り付けられるネジ孔３３を有する。
【００３５】
図６Ｂは、本発明の実施形態に係る渦流浴装置１が備える接続金具３０の構成を示す概略上面図である。図６Ｂには、理解を容易とするために、踏み台２０及び調節ネジ３４が破線で示されている。図６Ｂに示すように、突起部３２は、上方からの平面視において略Ｔ字状である。本実施形態では、突起部３２は、踏み台２０に設けられる係合突起２４と同一の形状である。
【００３６】
踏み台２０の係合溝２３は、突起部３２と係合する。詳細には、踏み台２０の短手方向の側面に設けられる係合溝２３が、突起部３２と係合する。突起部３２と係合溝２３との嵌め合せによって、踏み台２０は本体部１０に連結することができる。突起部３２と係合溝２３との嵌め合せによる連結のために、本体部１０と踏み台２０との連結は簡単に解除することができる。踏み台２０は、第１凸部１４と第２凸部１５との間で本体部１０に連結可能であり、２つの凸部１４、１５を目印として連結し易い。調節ネジ３４は、本体部１０と踏み台２０とが連結された状態で、接続金具３０の板面から突出する量を調節される。調節ネジ３４によって、踏み台２０が左右方向に移動する（がたつく）ことを防止することができる。なお、本実施形態では、前後方向に並ぶ２つの踏み台２０は、係合溝２３と係合突起２４との嵌め合せによって連結されている。
【００３７】
次に、以上のように構成される渦流浴装置１の作用及び効果について説明する。
【００３８】
図１に示すように、渦流浴装置１は下肢を治療するための装置である。より詳細には、使用者２は、片脚を浴槽１１に入れて使用する。図１では、右脚のみが浴槽１１に入れられているが、左脚のみが浴槽１１に入れられてもよい。浴槽１１に片脚のみが入れられることが想定されているために、浴槽１１は細長く設けられている。循環装置が作動されることによって、ノズル１１２から浴槽１１内に水が吐出して、浴槽１１内に渦流が生じる。渦流によって患部である片脚に刺激が与えられる。浴槽１１が細長いために、ノズル１１２によって引き起こされる水の流れを患部に効率良く当てることができる。なお、ノズル１１２からは、水のみならず、エアー等の気体が噴出されてよい。この場合には、ノズル１１２にエアー用の配管が連結される。
【００３９】
渦流浴装置１の使用者２は、踏み台２０によって、床面３より高い位置に立った状態で座部１３に臀部を載せることができる。また、踏み台２０は、本体部１０及び他の踏み台２０のうちの少なくともいずれか一方に連結することができ、使用時に動き難くできる。このために、使用者２は、安全に座部１３に乗ることができる。
【００４０】
なお、図１及び図２に示すように、踏み台２０は、少なくとも一部が座部１３の側方に位置するように本体部１０に連結可能である。本実施形態では、左右の側方において、後側に配置される踏み台２０は、一部が座部１３の側方に位置した状態で本体部１０に連結されている。このために、使用者２は、座部１３に近い位置から踏み台２０にアプローチすることができる。このために、使用者２は安全に座部１３に乗ることができる。また、踏み台２０は、使用者２が両足を載せた状態で立って居られるだけの十分な面積を有するのが好ましい。これにより、更に安全に、使用者２は座部１３に乗ることができる。
【００４１】
図７は、本発明の実施形態に係る渦流浴装置１を使用する使用者２の姿勢が図１とは異なる場合を説明するための概略側面図である。本実施形態の渦流浴装置１では、本体部１０と同一の床面３に載置された踏み台２０の上面が、浴槽１１の底面と略同一の高さに位置する。このために、図７に示すように、右脚を浴槽１１に入れ、左脚を踏み台２０に置いた使用者２は、左右の脚を伸ばした状態でバランス良く立つことができる。そして、浴槽１１は前後方向に延び、本体部１０の側方には、前後方向に２つの踏み台２０が並ぶ。このために、使用者２は、片脚のみを浴槽１１に入れた状態で、前後に歩くことが可能であり、リハビリテーションを目的とした運動を行うことができる。
【００４２】
なお、渦流浴装置の浴槽に両脚を入れて立った状態では、両脚に浮力が加わるために、使用者はバランスを崩し易く、リハビリテーション目的の運動を行い難い。この点、本実施形態の渦流浴装置１においては、使用者２は、浴槽１１に片脚のみを入れ、もう一方の脚を踏み台２０に載せて踏ん張ることができるために、リハビリテーション目的の歩行運動を行い易い。上述のように、手すり１６は回動可能に設けられている。図７に示すように、手すり１６は、歩行運動を行い易いように、その位置を適宜変更することができる。
【００４３】
渦流浴装置１においては、踏み台２０は、本体部１０に対して着脱可能であるだけでなく、他の踏み台２０に対しても着脱可能である。このために、踏み台２０は、使用者２の体格や障害レベルに合わせて適宜組み合わせを変更することができる。例えば、使用者２が歩行運動を行わない場合には、図８に示すように、図２に示す状態から前方の踏み台２０を取り除いた状態としてもよい。図８では、更に、左右の側方のうち、右側方には踏み台２０を配置しない構成としているが、場合によっては、このような使い方も可能である。また、身長が低い人が使用する場合には、図９に示すように、後方側の踏み台２０に、少なくとも１つの他の踏み台２０を高さ方向に重ねてもよい。なお、図９では、重ねられた他の踏み台２０の数は１つである。渦流浴を行いながら歩行運動を行う場合には、重ねた踏み台２０は適宜取り除かれてよい。また、場合によっては、意図的に段差を設けて歩行運動を行うこともできる。
【００４４】
渦流浴装置１においては、踏み台２０が全く必要でない場合には、踏み台２０を本体部１０に連結しない構成とすることもできる。踏み台２０を連結しない場合には、接続金具３０を取り外すことも可能である。これにより、本体部１０側面に不要な突起が存在する状態を避けることができる。
【００４５】
以上からわかるように、本実施形態の渦流浴装置１においては、踏み台２０を使用者の体格や障害レベル等に対応させて様々な状態に配置して使用することができる。このために、本実施形態の渦流浴装置１においては、踏み台２０を利用して安全且つ適切に治療を行うことができる。
【００４６】
以上に示した実施形態は、本発明の例示にすぎない。以上に示した実施形態の構成は、本発明の技術的思想を超えない範囲で適宜変更されてよい。また、本明細書に記載される複数の実施形態と変形例とは、可能な範囲で適宜組み合わせて実施されてよい。
【００４７】
以上においては、本発明が片脚専用の渦流浴装置に適用される場合について説明したが、これは例示にすぎない。本発明は、両脚を浴槽の中に入れることができる渦流浴装置にも適用可能である。また、本発明は、例えば、下肢用と上肢用とを兼ねる渦流浴装置にも適用可能である。
【符号の説明】
【００４８】
１・・・渦流浴装置
３・・・床面
１０・・・本体部
１１・・・浴槽
１３・・・座部
１４・・・第１凸部
１５・・・第２凸部
２０・・・踏み台
２３・・・係合溝
３０・・・接続金具
３２・・・突起部
【図１】
2018068616.tif 000003
【図２】
2018068616.tif 000004
【図３】
2018068616.tif 000005
【図４】
2018068616.tif 000006
【図５】
2018068616.tif 000007
【図６Ａ】
2018068616.tif 000008
【図６Ｂ】
2018068616.tif 000009
【図７】
2018068616.tif 000010
【図８】
2018068616.tif 000011
【図９】
2018068616.tif 000012